(57)【要約】  カードの接触に瞬断が生じた場合に単純な構成でアラームを表示せずに復旧し、ユーザに不快感を与えない移動通信端末を提供する。  カードの挿入状態を検出する割り込み検出部１１０と、割り込み検出部１１０による検出に応答してカードの抜き取りまたは抜き替えの有無を判断するＳＩＭ通信制御部１１１とを備え、ＳＩＭ通信制御部１１１は抜き取りおよび抜き替えでもないと判断した場合に正常動作を継続させる。【特許請求の範囲】
【請求項１】
カードの挿入状態を検出する検出手段と、
前記検出手段による検出に応答して前記カードの抜き取りまたは抜き替えの有無を判断する判断手段と、
前記判断手段が前記抜き取りおよび前記抜き替えでもないと判断した場合に、正常動作を継続させる制御手段とを備えた移動通信端末。
【請求項２】
前記検出手段は、前記カードと当該移動通信端末との間の割り込みを検出することを特徴とする請求項１記載の移動通信端末。
【請求項３】
さらに、前記カードと当該移動通信端末との間の通信エラーを検出する通信エラー検出手段を備え、前記判断手段は、当該通信エラー検出手段による通信エラー検出に応答して前記カードの抜き取りまたは抜き替えの有無を判断することを特徴とする請求項１または請求項２記載の移動通信端末。
【請求項４】
前記判断手段は、カードからの応答信号の有無に基づいてカードの抜き取りの有無を判断することを特徴とする請求項１から請求項３のいずれか１項記載の移動通信端末。
【請求項５】
前記判断手段は、カードからの応答信号が無い場合、当該カードへの電源断、電源再投入およびリセット処理を行った後に再度応答信号の有無を確認することを、応答信号があるまで一定期間繰り返すことを特徴とする請求項４記載の移動通信端末。
【請求項６】
前記判断手段は、カードの抜き取りが無いと判断した場合、当該カードから加入者情報を読み出し、移動通信端末起動時にカードから読み出して記憶した加入者情報と照合して、両者が一致しない場合はカードの抜き替えが生じたと判断することを特徴とする請求項４または請求項５記載の移動通信端末。
【請求項７】
さらに、表示手段を備え、前記判断手段はカードの抜き取りまたは抜き替えが有りと判断した場合、前記表示手段にアラームを表示することを特徴とする請求項６記載の移動通信端末。
【請求項８】
カードの挿入状態を検出し、その検出に応答して前記カードの抜き取りまたは抜き替えの有無を判断し、当該判断が前記抜き取りおよび前記抜き替えでもない場合に、正常動作を継続させる移動通信方法。
【請求項９】
カードからの応答信号の有無に基づいてカードの抜き取りの有無を判断することを特徴とする請求項８記載の移動通信方法。
【請求項１０】
カードの抜き取りが無いと判断した場合、当該カードから加入者情報を読み出し、移動通信端末起動時にカードから読み出して記憶した加入者情報と照合して、両者が一致しない場合はカードの抜き替えが生じたと判断することを特徴とする請求項９記載の移動通信方法。
【発明の詳細な説明】
【技術分野】
【０００１】
本発明は、加入者識別情報を記憶するＩＣカードを用いて無線通信を行う移動通信端末および移動通信方法に関する。
【背景技術】
【０００２】
無線通信方式であるＧＳＭ（Global System for Mobile Communications）方式、ＵＭＴＳ（Universal Mobile Telecommunications System）方式等を利用する移動通信端末では、加入者識別情報を入力する手段としてＳＩＭ（Subscriber Identity Module）カードと呼ばれるＩＣカードが用いられている。ＳＩＭカードには、加入者識別情報として加入者番号（ＩＭＳＩ：International Mobile Subscriber Identify）、暗証番号等が記憶される。移動通信端末は内部に備えるカードコネクタを介して上記ＳＩＭカードを脱着可能である。移動通信端末は、装着されたＳＩＭカードから読み出した加入者識別情報に基づいて通信を行う。【０００３】
上記のようなＳＩＭカードを用いる移動通信端末では、カードコネクタとＳＩＭカードとの間の接触に瞬断、すなわち一時的な接触断が生じる場合があり、このときＳＩＭカードと移動通信端末との間に通信エラーが発生する。通信エラーが発生すると、通常、移動通信端末は通信エラーのアラーム表示を行うが、この場合はユーザはＳＩＭカードの抜き取りも抜き替えも行っていないので、不快感を与えてしまうという問題があった。【０００４】
例えば、特許文献１にはユーザが安全にカードの着脱を行うことができる移動体通信端末が開示されている。この移動体通信端末は、主電源と、記憶媒体を交換できるインターフェイス部と、記憶媒体が接続されたことを検出する記憶媒体検出手段と、検出された記憶媒体が加入者識別情報の記録された記憶媒体であるかどうかを識別する記憶媒体識別手段と、記憶媒体検出手段および記憶媒体識別手段を制御する制御部とを備え、以下のように動作する。すなわち、記憶媒体が接続されたことを記憶媒体検出手段が検出し、その記憶媒体が加入者識別情報の記録された記憶媒体と識別された場合には、制御部により自動的にネットワークへの接続処理を行い、接続を解除する際は、その前に制御部により自動的にネットワークからの切断処理を行う。ネットワークへの接続処理中およびネットワークからの切断処理中は、その旨の報知を行う。【０００５】
また、特許文献２に開示される移動通信端末は、暗証番号を格納したＩＣカードと、ＩＣカードが装着された状態で通信可能な移動通信端末本体と、移動通信端末本体に電力を供給する電源部とからなり、以下のように動作する。すなわち、電源部からの電力の供給が一時的に停止された場合、予めＩＣカードから取得した暗証番号と、ＩＣカードに格納されている暗証番号とを、電力供給の再開後に比較して、両者が一致する場合に移動通信端末本体を通信可能な状態へ移行させる。これにより、一時的に電力が移動通信端末本体に供給されなくなった場合に、キー入力を伴うユーザ確認動作を省略することができる。
【特許文献１】特開２００２−３１９８９２号
【特許文献２】特開２００１−３０９４３３号
【発明の開示】
【発明が解決しようとする課題】
【０００６】
上記特許文献１に開示された移動体通信端末では、記憶媒体を介したネットワークへの安全な接続処理および切断処理は可能であるが、記憶媒体との接触に瞬断が発生した場合の対応については記載されていない。【０００７】
また、上記特許文献２に開示された移動体通信端末では、電池パックが外れた場合などの電力供給の瞬断には対応できるが、ＩＣカードとの間の接触に瞬断が生じた場合には対応できず、またＩＣカードに格納される暗証番号を用いて照合を行うために、ＩＣカードから読み出した暗証番号の暗号化が必要になり、携帯通信端末の構成が複雑になると共に処理時間がかかるという課題があった。【０００８】
本発明は、上記のような課題を解決するためになされたものであり、カードの接触に瞬断が生じた場合に単純な構成でアラームを表示せずに復旧し、ユーザに不快感を与えない移動通信端末および移動通信方法を提供することを目的とする。
【課題を解決するための手段】
【０００９】
本発明の構成による移動通信端末は、カードの挿入状態を検出する検出手段と、検出手段による検出に応答してカードの抜き取りまたは抜き替えの有無を判断する判断手段と、判断手段が抜き取りおよび抜き替えでもないと判断した場合に、正常動作を継続させる制御手段とを備えたことを特徴とする。【００１０】
具体的には、検出手段は、カードと移動通信端末との間の割り込みを検出することができる。また、カードと移動通信端末との間の通信エラーを検出する通信エラー検出手段を備える。【００１１】
また、判断手段は、カードからの応答信号の有無に基づいてカードの抜き取りの有無を判断することができる。また判断手段は、カードからの応答信号が無い場合、カードへの電源断、電源再投入およびリセット処理を行った後に再度応答信号の有無を確認することを、応答信号があるまで一定期間繰り返すことができる。【００１２】
さらに、判断手段は、カードの抜き取りが無いと判断した場合、カードから加入者情報を読み出し、移動通信端末起動時にカードから読み出して記憶した加入者情報と照合して、両者が一致しない場合はカードの抜き替えが生じたと判断することができる。さらに、表示手段を備え、判断手段はカードの抜き取りまたは抜き替えが有りと判断した場合、表示手段にアラームを表示することができる。【００１３】
本発明の構成による移動通信方法は、カードの挿入状態を検出し、その検出に応答してカードの抜き取りまたは抜き替えの有無を判断し、当該判断が抜き取りおよび抜き替えでもない場合に、正常動作を継続させることを特徴とする。具体的には、カードからの応答信号の有無に基づいてカードの抜き取りの有無を判断することができる。また、カードの抜き取りが無いと判断した場合、当該カードから加入者情報を読み出し、移動通信端末起動時にカードから読み出して記憶した加入者情報と照合して、両者が一致しない場合はカードの抜き替えが生じたと判断することができる。
【発明の効果】
【００１４】
この発明によれば、カードの挿入状態の検出に応答して、判断手段がカードの抜き取りまたは抜き替えの有無を判断し、抜き取りおよび抜き替えでもない場合はカード接触の瞬断と判断して制御手段が正常動作を継続させるので、カード接触に瞬断が生じた場合に、単純な構成で、アラームを表示せず復旧でき、ユーザに不快感を与えなることがないという効果が得られる。
【発明を実施するための最良の形態】
【００１５】
実施の形態１．
次に図面を参照して本発明の実施の形態を説明する。図１は本発明による移動通信端末の構成を示すブロック図である。図に示すように、移動通信端末１００は、無線部１０１、ベースバンド部１０２、制御部１０３、表示・操作部１０４、記憶部１０５、ＳＩＭカードコネクタ１０６を備える。【００１６】
無線部１０１は、制御部１０３の制御に従ってベースバンド部１０２から入力される信号を変調し無線基地局に送信すると共に、無線基地局から送信される信号を復調してベースバンド部１０２に出力する。ベースバンド部１０２は、制御部１０３が指定するデータのベースバンド処理、データ処理を行い、無線部１０１に出力する。また無線部１０１から入力される信号のデータ処理、ベースバンド処理を行う。制御部１０３は無線部１０１、ベースバンド部１０２、記憶部１０３、表示・操作部１０４の制御を行うと共に、ＳＩＭカードコネクタ１０６を経由してユーザが挿入したＳＩＭカードとの通信を行う。【００１７】
表示・操作部１０４は、制御部１０３の制御に従ってユーザにデータの表示を行うと共に、ユーザが入力した操作内容を制御部１０３に出力する。記憶部１０５は、移動通信端末１００の動作を制御するプログラム、またはユーザから入力されたデータ等を保存する。ＳＩＭカードコネクタ１０６は、ユーザが挿入するＳＩＭカードを受け付けてデータの読み出しを行う。【００１８】
図２は、制御部１０３およびＳＩＭカードコネクタ１０６の具体的な構成を示すブロック図である。図に示すように、制御部１０３は、割り込み検出部（検出手段）１１０、ＳＩＭ通信制御部（判断手段、制御手段）１１１、通信エラー検出部（通信エラー検出手段）１１４を備える。ＳＩＭカードコネクタ１０６は、ＳＩＭ挿入状態検出機構（検出手段）１１２、ＳＩＭ端子接触部１１３を備える。【００１９】
割り込み検出部１１０は、ＳＩＭ挿入状態検出機構１１２からのＳＩＭ挿入状態検出信号２１０により、無線端末装置１００に対する外部からの割り込みを検出する。ＳＩＭ通信制御部１１１は、一般的なＳＩＭカードの通信信号であるＶＣＣ（Supply to voltage）２０２、ＲＳＴ（Reset signal）２０３、ＣＬＫ（Clock Signal）２０４、ＧＮＤ（Ground）２０５、Ｉ／Ｏ（Data input output）２０６を用いてＳＩＭカードとの通信を行う。ＶＣＣ２０２は電源供給用の信号、ＲＳＴ２０３はＳＩＭカードリセット用の信号、ＣＬＫ２０４はクロック信号、ＧＮＤ２０５は０（Ｖ）の基準電圧を示す信号、Ｉ／Ｏ２０６はデータのインプット、アウトプット用の信号である。通信エラー検出部１１４については後述する実施の形態２で説明する。【００２０】
ＳＩＭ挿入状態検出機構１１２は、ＳＩＭカードの挿入状態を機構的手段により検出するスイッチであり、ＳＩＭ挿入状態検出信号２１０を用いてＳＩＭカードの挿入状態を割り込み検出部１１０に通知する。ＳＩＭ端子接触部１１３は、ユーザが挿入したＳＩＭカードの端子が接触する機構であり、ＳＩＭカードの端子がＳＩＭ端子接触部１１３に接触するとＶＣＣ２０２、ＲＳＴ２０３、ＣＬＫ２０４、ＧＮＤ２０５、Ｉ／Ｏ２０６の各信号を介してＳＩＭカードとＳＩＭ通信制御部１１１との間で通信が行われる。【００２１】
図３は、移動通信端末１００の制御部１０３の動作を説明するフローチャートである。図２および図３を参照して、制御部１０３の動作について説明する。【００２２】
移動通信端末１００の起動時、ＳＩＭカードがＳＩＭカードコネクタ１０６に挿入されていると、ＳＩＭ挿入状態検出機構１１２はこれを検出して、割り込み検出部１１０にＳＩＭ挿入状態検出信号２１０を出力する。割り込み検出部１１０はＳＩＭ挿入状態検出信号２１０によりＳＩＭカード挿入を検出すると、その旨をＳＩＭ通信制御部１１１に通知する。【００２３】
ＳＩＭ通信制御部１１１は上記通知により一般的なＳＩＭカードの通信信号であるＶＣＣ２０２、ＲＳＴ２０３、ＣＬＫ２０４、ＧＮＤ２０５およびＩ／Ｏ２０６を用いてＳＩＭカードの起動シーケンスを実行する。また、起動シーケンス実行中にＳＩＭ通信制御部１１１はＳＩＭカードの加入者情報を読み出して記憶部１０５に記憶する。その後、移動通信端末１００の正常動作が開始される。【００２４】
ここで、移動通信端末１００の正常動作時に、ＳＩＭカードの抜き取り、抜き替え、またはＳＩＭカードとＳＩＭカードコネクタ１０６との接触に瞬断が発生したとする。ＳＩＭ挿入状態検出機構１１２はＳＩＭカードの挿入状態の変化を検出し、割り込み検出部１１０にＳＩＭ挿入状態検出信号２１０を供給する。割り込み検出部１１０はＳＩＭ挿入状態検出信号２１０により、割り込みが発生したことを検出する（ステップＳＴ３０１）。割り込み検出部１１０は割り込みが発生したことをＳＩＭ通信制御部１１１に通知する。ＳＩＭ通信制御部１１１は、上記通知に応答してＶＣＣ２０２をＯｆｆにして、ＳＩＭカードへの電源断を実行する（ステップＳＴ３０２）。続いて、ＶＣＣ２０２、ＲＳＴ２０３をＯｎにして、ＳＩＭカードへの電源投入およびリセット信号の供給を行う（ステップＳＴ３０３）。【００２５】
ＲＳＴ２０３をＯｎにした後、ＳＩＭ通信制御部１１１はＳＩＭカードからのＲＳＴ２０３の応答（ＡＴＲ：Answer To Reset）を待機する（ステップＳＴ３０４）。ここで、一定期間ＲＳＴ２０３の応答がない場合はＳＩＭカードコネクタ１０６からＳＩＭカードが抜き取られたと考えられ、一方応答がある場合はＳＩＭカードが抜き替えられた、あるいはＳＩＭカードとＳＩＭカードコネクタ１０６との接触に瞬断が発生したと考えられる。ステップＳＴ３０４で応答がなかった場合は、再度ＲＳＴ２０３の応答待ちをするために、ＳＩＭ通信制御部１１１はカウンタ値Ｎを増加させた後（ステップＳＴ３０５）、再度ＳＩＭカードへの電源断（ステップＳＴ３０２）、電源投入、ＲＳＴのＯｎ入力（ステップＳＴ３０３）を行って、このＲＳＴの応答を再び待つ。この応答待ち処理を、カウンタ値Ｎが一定値Ｍを超えるまで繰り返す。【００２６】
カウンタ値Ｎが一定値Ｍを超えると、ＳＩＭ通信制御部１１１は、ＳＩＭカードは抜き取られたものと判定し、ＳＩＭカード未挿入のアラームを表示・操作部１０４に表示させる（ステップＳＴ３０６）。【００２７】
一方、ステップＳＴ３０４でＳＩＭカードからＲＳＴの応答があった場合、ＳＩＭ通信制御部１１１は、ＶＣＣ２０２、ＲＳＴ２０３、ＣＬＫ２０４、ＧＮＤ２０５およびＩ／Ｏ２０６を用いてＳＩＭカードの起動シーケンスを実行して再起動させる（ステップＳＴ３０７）。続いて、再起動を行ったＳＩＭカードがステップＳＴ３０１での割り込み検出前のＳＩＭカードと一致するか否かを調べるために、ＳＩＭカードの照合を行う（ステップＳＴ３０８）。ＳＩＭカードの照合方法として、移動通信端末１００の起動時にＳＩＭ通信制御部１１１が記憶部１０５に記憶した加入者情報と、再起動したＳＩＭカードから読み出した加入者情報とを照合する等がある。加入者情報として例えば加入者番号を用いてもよい。【００２８】
上記照合により、再起動したＳＩＭカードから読み出した加入者情報と記憶部１０５に記憶された加入者情報とが一致しない場合、すなわち再起動したＳＩＭカードが割り込み検出前のＳＩＭカードと異なるものである場合、ＳＩＭ通信制御部１１１はＳＩＭカードの抜き替えが発生したと判断し、その旨を表示・操作部１０４にアラーム表示させる（ステップＳＴ３０９）。一方、再起動したＳＩＭカードが割り込み検出前のＳＩＭカードと一致する場合、ＳＩＭ通信制御部１１１はＳＩＭカードとＳＩＭカードコネクタ１０６の接触に瞬断が発生したと判断し、正常動作を継続する（ステップＳＴ３１０）。すなわち、通信エラーのアラーム表示を行うことなくＳＩＭカードの割り込み検出前の動作状態を再開する。【００２９】
以上のように、この実施の形態１によれば、割り込み検出部１１０がＳＩＭ挿入状態検出信号２１０によりＳＩＭカードの挿入状態を検出し、ＳＩＭ通信制御部１１１がＳＩＭカードのＡＴＲ信号の有無の判定、ＳＩＭカードの照合を行うことによってＳＩＭカードの抜き取り、抜き替えの有無を判定し、抜き取りも抜き替えも発生しなかった場合に正常動作を継続するようにしたので、ＳＩＭカードの瞬断発生時にユーザにアラームを通知せずに正常動作を継続することができ、ユーザに不快感を与えずに復旧できる効果が得られる。【００３０】
実施の形態２．
上記実施の形態１では、ＳＩＭカードの接触に割り込みが発生した場合について説明したが、この実施の形態２では他の割り込みについて説明する。例えば、ＳＩＭカードと移動通信端末との間の通信信号に、静電気等の要因により一時的にノイズが入ることにより、ＳＩＭカードと移動通信端末との間に通信異常が発生する場合がある。本実施の形態２では、このような通信異常が発生した場合の復旧について説明する。本実施の形態２による移動通信端末の構成は実施の形態１で説明した図１、図２と同様であり、制御部１０３の動作は図４に示す。【００３１】
図４において、移動通信端末１００の通信中、静電気等の要因により通信信号に一時的にノイズが入ると、通信エラー検出部１１４がこれを検出する。ノイズ検出には一般的な方法を用いてよい。例えば、Ｉ／Ｏ信号の論理的デジタルデータとＳＩＭカードからのＩ／Ｏ信号とを比較し、誤りが検出された場合にノイズが入ったとする等があるが、その他ＳＩＭ通信エラー検出の一般的な方法を用いてよく、ここではその詳細は省略する。通信エラー検出部１１４はノイズを検出すると（ステップＳＴ４０１）、ＳＩＭ通信制御部１１１にその旨を通知する。ＳＩＭ通信制御部１１１は、ＶＣＣ２０２をＯｆｆにして、ＳＩＭカードへの電源断を実行する（ステップＳＴ４０２）。続いて、ＶＣＣ２０２、ＲＳＴ２０３をＯｎにし、ＳＩＭカードへの電源投入およびリセット信号の入力を行う（ステップＳＴ４０３）。【００３２】
以降、実施の形態１と同様に、ＳＩＭ通信制御部１１１はＳＩＭカードからのＲＳＴ２０３の応答を待機し（ステップＳＴ４０４）、応答がない場合は、カウンタ値Ｎを増加させ（ステップＳＴ４０５）、再度ＳＩＭカードへの電源断（ステップＳＴ４０２）、電源投入、ＲＳＴのＯｎ入力（ステップＳＴ４０３）を行って、このＲＳＴの応答を再び待つ。この応答待ち処理をカウンタ値Ｎが一定値Ｍを超えるまで繰り返す。カウンタ値Ｎが一定値Ｍを超えると、ＳＩＭ通信制御部１１１は、ＳＩＭカードは抜き取られたものと判定し、ＳＩＭカード再挿入のアラームを表示・操作部１０４に表示させる（ステップＳＴ４０６）。【００３３】
一方、ＳＩＭカードからＲＳＴの応答があった場合は、ＶＣＣ２０２、ＲＳＴ２０３、ＣＬＫ２０４、ＧＮＤ２０５およびＩ／Ｏ２０６を用いてＳＩＭカードの起動シーケンスを実行して再起動させ（ステップＳＴ４０７）、再起動したＳＩＭカードが通信エラー検出前のＳＩＭカードと一致するか否かを調べるためにＳＩＭカードの照合を行う（ステップＳＴ４０８）。【００３４】
上記照合により、再起動したＳＩＭカードが通信エラー検出前のＳＩＭカードと一致しない場合、ＳＩＭ通信制御部１１１はＳＩＭカードの抜き替えが発生したと判断し、その旨を表示・操作部１０４にアラーム表示させる（ステップＳＴ４０９）。一方、再起動したＳＩＭカードが通信エラー検出前のＳＩＭカードと一致する場合、ＳＩＭ通信制御部１１１は通信エラー検出前の通信状態を再開する（ステップＳＴ４１０）。【００３５】
なお、通信エラー検出部１１４は、上記のような静電気によるノイズの他、周辺環境の高周波等、外部要因の影響によるノイズを検出した場合も通信エラーとして上記と同様の動作を行う。【００３６】
以上のように、この実施の形態２によれば、通信エラー検出部１１４が通信エラーを検出すると、ＳＩＭカードの抜き取り、抜き替えの有無を判定し、抜き取りも抜き替えも発生しなかった場合に正常動作を継続するようにしたので、静電気等の要因による通信エラー発生時にユーザにアラームを通知せずに正常動作を継続することができ、ユーザに不快感を与えずに復旧できる効果が得られる。
【図面の簡単な説明】
【００３７】
【図１】本発明による移動通信端末の構成を示すブロック図である。
【図２】制御部およびＳＩＭカードコネクタの具体的な構成を示すブロック図である。
【図３】実施の形態１による移動通信端末の制御部の動作を説明するフローチャートである。
【図４】実施の形態２による移動通信端末の制御部の他の動作を説明するフローチャートである。
【符号の説明】
【００３８】
１００    移動通信端末
１０１    無線部
１０２    ベースバンド部
１０３    制御部
１０４    表示・操作部
１０５    記憶部
１０６    ＳＩＭカードコネクタ
１１０    割り込み検出部
１１１    ＳＩＭ通信制御部
１１２    ＳＩＭ挿入状態検出機構
１１３    ＳＩＭ端子接触部
１１４    通信エラー検出部
２０２    ＶＣＣ
２０３    ＲＳＴ
２０４    ＣＬＫ
２０５    ＧＮＤ
２０６    Ｉ／Ｏ
２１０    ＳＩＭ挿入状態検出信号
【図１】
2007029617.tif 000002
【図２】
2007029617.tif 000003
【図３】
2007029617.tif 000004
【図４】
2007029617.tif 000005
【国際調査報告】
2007029617.tif 000006
2007029617.tif 000007